(57)【特許請求の範囲】
【請求項１】
装置前面にチューブシール部が配設された複数台のチューブシール装置と、
各チューブシール部が水平面に沿って直線状に配列されるようにして、前記複数台のチューブシール装置を載置可能に構成された載置台と、を備える医療用チューブシール装置セットであって、
前記チューブシール部は、
前記チューブシール装置の前後方向に沿って対向配置された一対の電極と、
前記一対の電極を覆うように設けられたカバー部材とを有し、
前記カバー部材には、鉛直軸に沿った上方向から前記一対の電極の間に医療用チューブを挿入可能に構成されたスリット部が設けられており、
前記載置台は、
前記複数台のチューブシール装置の配置に合わせて分割された複数の載置面と、
前記複数の載置面のうち少なくとも１つの載置面を昇降させる昇降機構と、
前記昇降機構による前記載置面の昇降動作を制御する主制御部とを有し、
前記主制御部は、所定の制御条件が満たされたときに、前記複数台のチューブシール装置のうち前記配列の中央寄りに配置された前記チューブシール装置における前記チューブシール部が、他の前記チューブシール装置における前記チューブシール部に比べて、その位置が高くなるように、各昇降機構の制御を実行する医療用チューブシール装置セット。
【請求項２】
請求項１に記載の医療用チューブシール装置セットにおいて、
前記複数台のチューブシール装置のうち少なくとも１台のチューブシール装置には、当該チューブシール装置の前記スリット部に医療用チューブが挿入されたことを検知する検知部が配設されており、
前記検知部が医療用チューブの挿入を検知すると、前記所定の制御条件が満たされるように構成されている医療用チューブシール装置セット。
【請求項３】
請求項１に記載の医療用チューブシール装置セットにおいて、
前記載置台は、前記複数台のチューブシール装置全体の電源のＯＮ／ＯＦＦを切り替える主電源スイッチをさらに有し、
前記主電源スイッチをＯＦＦからＯＮに切り替えると、前記所定の制御条件が満たされるように構成されている医療用チューブシール装置セット。
【請求項４】
請求項１に記載の医療用チューブシール装置セットにおいて、
前記載置台は、使用者の操作により、前記複数台のチューブシール装置における各チューブシール部の水平位置が揃った「通常モード」と、前記複数台のチューブシール装置のうち前記配列の中央寄りに配置された前記チューブシール装置における前記チューブシール部が、他の前記チューブシール装置における前記チューブシール部よりも高く配置された「山なりモード」とのうち、いずれか一方のモードに切り替えるモード切替スイッチをさらに有し、
前記モード切替スイッチを前記山なりモードに切り替えると、前記所定の条件が満たされるように構成されている医療用チューブシール装置セット。
【請求項５】
請求項１〜４のいずれか一項に記載の医療用チューブシール装置セットにおいて、
前記複数の載置面は、前記所定の制御条件が満たされたときに、前記載置台における左右方向端部から中央部に向かって階段状となるように、短冊状に分割されている医療用チューブシール装置セット。
【請求項６】
請求項１〜４のいずれか一項に記載の医療用チューブシール装置セットにおいて、
前記複数の載置面は、前記所定の制御条件が満たされたときに、前記載置台の中央部において稜線を有する山状となるように、２枚の板状に分割されている医療用チューブシール装置セット。
【請求項７】
複数台のチューブシール装置を備える医療用チューブシール装置セットに用いる載置台であって、
前記医療用チューブシール装置セットは、請求項１〜６のいずれか一項に記載の医療用チューブシール装置セットである載置台。
【発明の詳細な説明】
【技術分野】
【０００１】
本発明は、医療用チューブシール装置セット及び載置台に関する。
【背景技術】
【０００２】
医療用チューブ（以下、単に「チューブ」と略すこともある。）をシール溶着するための装置として、従来、載置台上に複数台のチューブシール装置が並置された医療用チューブシール装置セットが知られている（例えば、特許文献１参照。）。
【０００３】
従来の医療用チューブシール装置セットによれば、各チューブシール装置のチューブシール部が一直線に配列されているため、１回のシール動作により複数個所をほぼ同時にシール溶着することができる。
【先行技術文献】
【特許文献】
【０００４】
【特許文献１】意匠登録第１４１８３６３号公報
【発明の概要】
【発明が解決しようとする課題】
【０００５】
ところで、血液バッグ等に接続されたチューブは、使用前（包材にしまわれている段階）においては折り重なった状態で収納されていることから、チューブに折れ癖や曲がり癖（以下、折れ癖等という。）が付いてしまっていることがある。そのような折れ癖等の付いたチューブを複数のチューブシール部に挿入すると、正常なシール位置に対してチューブが浮いてしまう（以下、この現象を「チューブの浮き」という。）場合がある。チューブの浮きが発生すると、例えばチューブの挿入が検知されずシール動作が行われなかったり、望ましい位置でシール溶着できなかったりするケースが起こり得る。仮に望ましい位置でシール溶着できないと、チューブが破断してしまったり、チューブの一部においてシール不足が発生したりする等、シール不良が発生しかねない。
【０００６】
なお、折れ癖等の付いたチューブに対して、チューブ長手方向に沿ってテンション（引張力）をかけることにより、チューブの浮きを直せなくもない。しかしながら、本発明者らが実験したところによると、折れ癖等の付いたチューブに対して、チューブ長手方向に沿ってテンションをかければ必ずチューブの浮きがきれいに直るということはなく、チューブの浮きが思いどおりに改善されないケースもあった。
【０００７】
そこで、本発明は、このような問題を解決するためになされたもので、折れ癖等の付いたチューブであっても、円滑にシール溶着することができ、シール不良の発生も抑制することが可能な医療用チューブシール装置セット及び載置台を提供することを目的とする。
【課題を解決するための手段】
【０００８】
本発明の発明者らは、上記の目的を達成するため、従来の医療用チューブシール装置セットにおいて、チューブのどの位置に折れ癖等が付いていると、チューブの浮きが直りにくいのかを徹底的に調査した。その結果、当該セットの左右方向両端部付近に折れ癖等が位置するチューブに比べて、当該セットの中央付近に折れ癖等が位置するチューブのほうが、チューブの浮きが直りにくいという知見を得た。医療用チューブシール装置セットにおける左右方向両端部付近、すなわちチューブを持つ手元により近い部分に折れ癖等が位置する場合は、チューブに軽くテンションをかければチューブの浮きを直すことができる一方、当該セットの中央付近に折れ癖等が位置する場合は、手元から折れ癖等の位置までの距離が離れているため、手元でチューブにテンションを加えたとしてもその力が折れ癖等の位置までは伝わりにくく、チューブの浮きが直りにくい。
【０００９】
本発明の発明者らは、以上の知見にもとづいて、医療用チューブシール装置セットの中央付近に折れ癖等が位置するチューブであったとしてもチューブの浮きを改善させる手段を探るべく、鋭意研究を重ねた。その結果、以下に記載する構成とすれば、どのような位置に折れ癖等が位置したとしてもチューブの浮きを改善することができ、結果として上記の目的を達成できることに想到し、本発明を完成させるに至った。
【００１０】
すなわち、本発明の医療用チューブシール装置セットは、装置前面にチューブシール部が配設された複数台のチューブシール装置と、各チューブシール部が水平面に沿って直線状に配列されるようにして、前記複数台のチューブシール装置を載置可能に構成された載置台と、を備える医療用チューブシール装置セットであって、前記チューブシール部は、前記チューブシール装置の前後方向に沿って対向配置された一対の電極と、前記一対の電極を覆うように設けられたカバー部材とを有し、前記カバー部材には、鉛直軸に沿った上方向から前記一対の電極の間に医療用チューブを挿入可能に構成されたスリット部が設けられており、前記載置台は、前記複数台のチューブシール装置の配置に合わせて分割された複数の載置面と、前記複数の載置面のうち少なくとも１つの載置面を昇降させる昇降機構と、前記昇降機構による前記載置面の昇降動作を制御する主制御部とを有し、前記主制御部は、所定の制御条件が満たされたときに、前記複数台のチューブシール装置のうち前記配列の中央寄りに配置された前記チューブシール装置における前記チューブシール部が、他の前記チューブシール装置における前記チューブシール部に比べて、その位置が高くなるように、各昇降機構の制御を実行することを特徴とする。
【００１１】
本発明の医療用チューブシール装置セットによれば、中央寄りに配置されたチューブシール装置におけるチューブシール部の位置が、他のチューブシール装置におけるチューブシール部よりも高くなるように、載置台の主制御部が各昇降機構を制御するように構成されているため、各チューブシール部（各カバー部材のスリット部）にチューブを挿入したときに、中央寄りに位置するチューブシール部において、チューブがスリット部（スリット部の最下部）と接触し、チューブに対してチューブをスリット部に押し付けようとする力（以下、この力を「押付力」という。）が働くこととなる。これにより、折れ癖等の付いたチューブを挿入した際、仮に医療用チューブシール装置セットの中央付近に折れ癖等が位置することとなったとしても、チューブに働く押付力によってチューブの浮きを改善することができる。その結果、チューブの挿入が検知されずシール動作が行われなかったり、望ましい位置でシール溶着できなかったりするような、望ましくないケースの発生を抑制することができる。
【００１２】
したがって、本発明の医療用チューブシール装置セットは、折れ癖等の付いたチューブであっても、円滑にシール溶着することができ、シール不良の発生も抑制することが可能なものとなる。
【００１３】
本発明の医療用チューブシール装置セットにおいては、前記複数台のチューブシール装置のうち少なくとも１台のチューブシール装置には、当該チューブシール装置の前記スリット部に医療用チューブが挿入されたことを検知する検知部が配設されており、前記検知部が医療用チューブの挿入を検知すると、前記所定の制御条件が満たされるように構成されていることが好ましい。
【００１４】
このように構成することにより、使用者がカバー部材のスリット部にチューブを挿入したことをきっかけとして、主制御部による昇降機構の制御が実行されることとなる。
【００１５】
本発明の医療用チューブシール装置セットにおいては、前記載置台は、前記複数台のチューブシール装置全体の電源のＯＮ／ＯＦＦを切り替える主電源スイッチをさらに有し、前記主電源スイッチをＯＦＦからＯＮに切り替えると、前記所定の制御条件が満たされるように構成されていることが好ましい。
【００１６】
このように構成することにより、使用者が主電源スイッチを操作したことをきっかけとして、主制御部による昇降機構の制御が実行されることとなる。
【００１７】
本発明の医療用チューブシール装置セットにおいては、前記載置台は、使用者の操作により、前記複数台のチューブシール装置における各チューブシール部の水平位置が揃った「通常モード」と、前記複数台のチューブシール装置のうち前記配列の中央寄りに配置された前記チューブシール装置における前記チューブシール部が、他の前記チューブシール装置における前記チューブシール部よりも高く配置された「山なりモード」とのうち、いずれか一方のモードに切り替えるモード切替スイッチをさらに有し、前記モード切替スイッチを前記山なりモードに切り替えると、前記所定の条件が満たされるように構成されていることが好ましい。
【００１８】
このように構成することにより、使用者がモード切替スイッチを操作したことをきっかけとして、主制御部による昇降機構の制御が実行されることとなる。
【００１９】
本発明の医療用チューブシール装置セットにおいては、前記複数の載置面は、前記所定の制御条件が満たされたときに、前記載置台における左右方向端部から中央部に向かって階段状となるように、短冊状に分割されていてもよいし、前記載置台の中央部において稜線を有する山状となるように、２枚の板状に分割されていてもよい。
【００２０】
本発明の載置台は、複数台のチューブシール装置を備える医療用チューブシール装置セットに用いる載置台であって、医療用チューブシール装置セットは、本発明の医療用チューブシール装置セットであることを特徴とする。
【００２１】
本発明の載置台によれば、上述した本発明の医療用チューブシール装置セットに用いる載置台と同じ構成からなるため、本発明の載置台を用いることによって、折れ癖等の付いたチューブであっても、円滑にシール溶着することができ、シール不良の発生も抑制することが可能となる。
【発明の効果】
【００２２】
本発明の医療用チューブシール装置セット及び載置台によれば、折れ癖等の付いたチューブを挿入した際、仮に載置台の中央付近に折れ癖等が位置することとなったとしても、チューブに働く押付力によってチューブの浮きを改善することができるため、チューブの挿入が検知されずシール動作が行われなかったり、望ましい位置でシール溶着できなかったりするような、望ましくないケースの発生を抑制することができる。
【図面の簡単な説明】
【００２３】
【図１】図１は、第１実施形態に係る医療用チューブシール装置セット１の正面図である。図１（ａ）は載置面１１２〜１１７が上昇する前における医療用チューブシール装置セット１の正面図であり、図１（ｂ）は載置面１１２〜１１７が上昇した後における医療用チューブシール装置セット１の正面図である。
【図２】図２は、第１実施形態に係る医療用チューブシール装置セット１の平面図である。
【図３】図３は、第１実施形態に係る医療用チューブシール装置セット１の外観斜視図である。
【図４】図４は、チューブシール装置１０Ａの外観斜視図である。
【図５】図５は、チューブシール装置１０Ａの右側面図である。
【図６】図６は、チューブシール部２０Ａを説明するために示す図である。図６（ａ）はチューブシール部２０Ａの構成を模式的に示す図であり、図６（ｂ）は一対の電極２１Ａ，２２Ａ間にチューブＴを挿入した様子を模式的に示す図である。
【図７】図７は、第１実施形態に係る医療用チューブシール装置セット１の電気的構成を示すブロック図である。
【図８】図８は、第１実施形態に係る載置台１００の外観斜視図である。図８（ａ）は載置面１１２〜１１７が上昇する前における載置台１００の外観斜視図であり、図８（ｂ）は載置面１１２〜１１７が上昇した後における載置台１００の外観斜視図である。
【図９】図９は、第１実施形態に係る載置台１００の正面図である。図９（ａ）は載置面１１２〜１１７が上昇する前における載置台１００の正面図であり、図９（ｂ）は載置面１１２〜１１７が上昇した後における載置台１００の正面図である。
【図１０】図１０は、載置台１００における載置面１１１〜１１８の高さを説明するために示す図である。
【図１１】図１１は、第１実施形態における医療用チューブシール装置セット１を説明するために示す図である。図１１（ａ）はチューブ挿入前における各チューブシール部２０Ａ〜２０Ｈの位置を模式的に示す図であり、図１１（ｂ）はチューブ挿入後における各チューブシール部２０Ａ〜２０Ｈの位置を模式的に示す図である。
【図１２】図１２は、比較例に係る医療用チューブシール装置セット８を説明するために示す図であって、チューブシール部２０Ａ〜２０ＨにチューブＴを挿入した一例を示す図である。
【図１３】図１３は、第１実施形態に係る医療用チューブシール装置セット１を説明するために示す図であって、チューブシール部２０Ａ〜２０ＨにチューブＴを挿入した一例を示す図である。
【図１４】図１４は、第２実施形態に係る載置台２００の正面図である。図１４（ａ）は載置面２１１，２１２が上昇する前における載置台２００の正面図であり、図１４（ｂ）は載置面２１１，２１２が上昇した後における載置台２００の正面図である。
【図１５】図１５は、第２実施形態における医療用チューブシール装置セット２を説明するために示す図である。図１５（ａ）はチューブ挿入後における各チューブシール部２０Ａ〜２０Ｈの位置を模式的に示す図であり、図１５（ｂ）はチューブシール部２０Ａ〜２０ＨにチューブＴを挿入した一例を示す図である。
【図１６】図１６は、第３実施形態に係る医療用チューブシール装置セット３の電気的構成を示すブロック図である。
【図１７】図１７は、第４実施形態に係る医療用チューブシール装置セット４の電気的構成を示すブロック図である。
【発明を実施するための形態】
【００２４】
以下、本発明の医療用チューブシール装置セット及び載置台について、図に示す実施の形態に基づいて説明する。
【００２５】
［第１実施形態］
まず、第１実施形態に係る医療用チューブシール装置セット１の構成について、図１〜図３を用いて説明する。
図１は、第１実施形態に係る医療用チューブシール装置セット１の正面図である。図１（ａ）は載置面１１２〜１１７が上昇する前における医療用チューブシール装置セット１の正面図であり、図１（ｂ）は載置面１１２〜１１７が上昇した後における医療用チューブシール装置セット１の正面図である。
図２は、第１実施形態に係る医療用チューブシール装置セット１の平面図である。
図３は、第１実施形態に係る医療用チューブシール装置セット１の外観斜視図である。
【００２６】
なお、以下の説明において、図に示すｘ軸に沿った方向が医療用チューブシール装置セット１の左右方向であり、図に示すｙ軸に沿った方向が医療用チューブシール装置セット１の前後方向であり、図に示すｚ軸（鉛直軸）に沿った方向が医療用チューブシール装置セット１の上下方向である。また、「水平面」とは、ｚ軸に直交する平面であり、ｘ軸及びｙ軸上に広がる面である。
【００２７】
第１実施形態に係る医療用チューブシール装置セット１は、図１〜図３に示すように、装置前面にチューブシール部２０Ａ〜２０Ｈが配設された８台のチューブシール装置１０Ａ〜１０Ｈと、各チューブシール部２０Ａ〜２０Ｈが水平面に沿って直線状に配列されるようにして、８台のチューブシール装置１０Ａ〜１０Ｈを載置可能に構成された載置台１００とを備える。８台のチューブシール装置１０Ａ〜１０Ｈは、医療用チューブシール装置セット１の左右方向に並設されている。
【００２８】
次に、チューブシール装置１０Ａ〜１０Ｈの構成について、図４〜図７を用いて説明する。以下では、８台のチューブシール装置１０Ａ〜１０Ｈのうち正面最左位置にあるチューブシール装置１０Ａを例に、その構造を具体的に説明するが、他のチューブシール装置１０Ｂ〜１０Ｈも基本的には同様の構成である。
【００２９】
図４は、チューブシール装置１０Ａの外観斜視図である。
図５は、チューブシール装置１０Ａの右側面図である。
図６は、チューブシール部２０Ａを説明するために示す図である。図６（ａ）はチューブシール部２０Ａの構成を模式的に示す図であり、図６（ｂ）は一対の電極２１Ａ，２２Ａ間にチューブＴを挿入した様子を模式的に示す図である。なお、図６（ａ）及び図６（ｂ）においては、カバー部材２５Ａを取り外した状態で図示している。
図７は、第１実施形態に係る医療用チューブシール装置セット１（主にチューブシール装置１０Ａ及び載置台１００）の電気的構成を示すブロック図である。
【００３０】
チューブシール装置１０Ａは、例えば高周波でチューブをシール（封止）する機能を有するチューブシーラーであって、図４〜図７に示すように、略直方体形状の筺体１２Ａと、筺体１２Ａの前面に配設されたチューブシール部２０Ａと、チューブシール部２０Ａにおける一対の電極２１Ａ，２２Ａ間にチューブが配置されたことを検知するための検知部３０Ａ，３５Ａと、電極２１Ａを移動させるための電極移動機構４０Ａと、チューブシール装置１０Ａ内の各部に電力を供給するための電源部７０Ａと、点灯部７２Ａと、各種制御を実行する制御部９０Ａとを備える。
【００３１】
筺体１２Ａには、例えば外部記憶媒体としての外部メモリ（ＳＤカードなど）を挿入可能なスロット部（図示せず。）が設けられている。
【００３２】
チューブシール部２０Ａは、図４〜図６に示すように、一対の電極２１Ａ，２２Ａと、電極２１Ａ，２２Ａを支持する電極支持部２３Ａ，２４Ａと、電極２１Ａ，２２Ａを覆うように設けられたカバー部材２５Ａとを有する。
【００３３】
一対の電極２１Ａ，２２Ａのうち電極２１Ａは可動電極であり、電極２２Ａは固定電極である。電極２１Ａ，２２Ａは筺体１２Ａの前面から張り出すように設けられており、チューブを挿入するためのスリット部２６Ａが設けられたカバー部材２５Ａによってカバーされている。
【００３４】
スリット部２６Ａは、上方向に向けて開放された切れ込みからなり、上方向から電極２１Ａ，２２Ａ間にチューブを挿入可能に構成されている。図示による説明は省略するが、スリット部２６Ａの切れ込みの深さは左右で同じ大きさであるため、スリット部２６Ａの最下部２７Ａの位置も、左右で同じ高さにある。チューブシール部２０Ａは、スリット部２６Ａに挿入されたチューブを電極２１Ａ，２２Ａによって挟持した状態でシール溶着可能に構成されている。
【００３５】
検知部３０Ａ，３５Ａは、筺体１２Ａの左右方向に沿って、電極２１Ａ，２２Ａの両脇に１つずつ配設されている。検知部３０Ａ，３５Ａは、図６（ｂ）に示すように、電極２１Ａの両脇に配設された発光素子３１Ａ，３６Ａと、電極２２Ａの両脇に配設された受光素子３２Ａ，３７Ａとからなり、発光素子３１Ａ，３６Ａと受光素子３２Ａ，３７Ａとがそれぞれ対向する位置に配置されている。検知部３０Ａ，３５Ａは、例えば透過型のフォトインタラプタであり、図６（ｂ）に示すように、電極２１Ａ，２２Ａ間に挿入されたチューブＴによって発光素子３１Ａ，３６Ａからの光が遮断されたことを、受光素子３２Ａ，３７Ａが検知し、当該検知情報を制御部９０Ａに送るように構成されている。
【００３６】
電極移動機構４０Ａは、例えば電動シリンダからなる。電極移動機構４０Ａによる直線運動が電極支持部２３Ａを介して電極２１Ａに伝達されることにより、電極２１Ａ，２２Ａを接近又は離隔させる方向に沿って、電極２１Ａを移動させるように構成されている。
【００３７】
電源部７０Ａは、図示による説明は省略するが、外部の商用電源などから電源ケーブル等を介して交流電力を導き、内蔵するＡＣ／ＤＣ変換部で変圧・整流・平滑などの処理を行って、チューブシール装置１０Ａの各部に電力を供給する。
【００３８】
図４に示すように、筺体１２Ａの前面であってチューブシール部２０Ａの上方には、点灯部７２Ａが設けられている。点灯部７２Ａは、例えばＬＥＤからなり、制御部９０Ａの制御によって複数色で発光及び明滅可能に構成されている。また、図示による説明は省略するが、筺体１２Ａの背面には、電源端子と、通信用端子と、載置面１１１上に載置したときに位置合わせするために用いる２つの位置決め孔と、載置面１１１上に載置したチューブシール装置１０Ａを固定するために用いる装置固定用ネジ孔とが設けられている。
【００３９】
制御部９０Ａは、ＣＰＵ（Central Processing Unit）又はＣＰＵが搭載された回路基板によって構成されている。制御部９０Ａは、図７に示すように、電極移動機構４０Ａの駆動を制御する電極移動制御部９２Ａと、電極に印加する高周波電流を制御することによりチューブシール部２０Ａのチューブシール動作を制御するチューブシール動作制御部９４Ａとを少なくとも有する。
【００４０】
次に、載置台１００の構成について、図８〜図１０を用いて説明する。
図８は、第１実施形態に係る載置台１００の外観斜視図である。図８（ａ）は載置面１１２〜１１７が上昇する前における載置台１００の外観斜視図であり、図８（ｂ）は載置面１１２〜１１７が上昇した後における載置台１００の外観斜視図である。
図９は、第１実施形態に係る載置台１００の正面図である。図９（ａ）は載置面１１２〜１１７が上昇する前における載置台１００の正面図であり、図９（ｂ）は載置面１１２〜１１７が上昇した後における載置台１００の正面図である。
図１０は、載置台１００における載置面１１１〜１１８の高さを説明するために示す図である。なお、図１０においては、装置接続部１２１〜１２８の図示を省略している。
【００４１】
載置台１００は、図７〜図１０に示すように、８台のチューブシール装置１０Ａ〜１０Ｈの配置に合わせて短冊状に分割された８つの載置面１１１〜１１８と、載置面１１１〜１１８の後方に立設された装置接続部１２１〜１２８と、載置台１００の左右両端部に設けられた取っ手１２０，１２９と、８台のチューブシール装置１０Ａ〜１０Ｈ全体の電源のＯＮ／ＯＦＦを切り替えるための主電源スイッチ１７２と、載置面１１１〜１１８のうち６つの載置面１１２〜１１７を昇降させる昇降機構１８１〜１８６と、昇降機構１８１〜１８６による載置面１１２〜１１７の昇降動作を制御する主制御部１９０とを有する。
【００４２】
載置面１１１〜１１８は、例えば金属板からなり、図８（ａ）及び図８（ｂ）に示すように、載置台１００の中央部を境界として左右対称形（線対称）となるように配置されている。載置面１１１〜１１８のうち中央側に位置する載置面１１２〜１１７には、図１（ｂ）及び図９（ｂ）に示すように、昇降機構１８１〜１８６がそれぞれ配設されている。
【００４３】
載置面１１２〜１１７が上昇した後の載置面１１１〜１１８は、図８（ｂ）に示すように、載置台１００の左右両端部から中央部にかけて３段ずつ上るような階段状に形成されている。載置面１１１〜１１８の高さについて、図１０を用いて具体的に説明すると、載置面１１１の高さ（載置台１００を例えば机上に置いた場合における机面から載置面１１１までの、ｚ軸方向に沿った距離）をＨ１、載置面１１２の高さをＨ２というように、載置面１１１〜１１８の高さをＨ１〜Ｈ８としたとき、載置面１１１〜１１８の高さは、「Ｈ１＝Ｈ８、Ｈ２＝Ｈ７、Ｈ３＝Ｈ６、Ｈ４＝Ｈ５」を満たすとともに、「Ｈ１＜Ｈ２＜Ｈ３＜Ｈ４」かつ「Ｈ５＞Ｈ６＞Ｈ７＞Ｈ８」を満たすように設定されている。また、詳細については後述するが、載置面１１２〜１１７が上昇した後における載置面１１１〜１１８の高さは、チューブシール装置１０Ａ〜１０Ｈにおける各一対の電極の位置を結ぶと、上方向に向かって凸となる仮想曲線ＶＣ（後述する図１１（ｂ）参照。）が描かれるように設定されている。
【００４４】
装置接続部１２１〜１２８には、電源用コネクタ１３１〜１３８と、通信用コネクタ１４１〜１４８と、位置決めピン１５１ａ，１５１ｂ〜１５８ａ，１５８ｂと、装置固定用ネジ１６１〜１６８とがそれぞれ設けられている。これら各部は、チューブシール装置１０Ａ〜１０Ｈの背面に設けられた電源端子、通信用端子、位置決め孔及び装置固定用ネジ孔と対応しており、８台のチューブシール装置１０Ａ〜１０Ｈが載置面１１１〜１１８上に左右方向に沿って均等に並んで配置されるように構成されている。
【００４５】
主電源スイッチ１７２は、載置台１００の右後方（装置接続部１２８の壁面）に設けられている。主電源スイッチ１７２を操作することにより、８台のチューブシール装置１０Ａ〜１０Ｈ全体を、電源ＯＮの状態又は電源ＯＦＦの状態に切り替えることができる。
【００４６】
昇降機構１８１〜１８６は、例えばピン式のエアシリンダからなり、ピンを上下動させることにより、各載置面１１２〜１１７を昇降させるように構成されている。昇降機構１８１〜１８６は、載置面１１２〜１１７の下面にそれぞれ４つずつ配設されている。
【００４７】
主制御部１９０は、ＣＰＵ（Central Processing Unit）又はＣＰＵが搭載された回路基板によって構成されている。主制御部１９０は、チューブシール装置１０Ａ〜１０Ｈの各制御部を統括制御する機能と、所定の条件が満たされたときに、昇降機構１８１〜１８６の制御を実行する機能を少なくとも有する。主制御部１９０によって昇降機構１８１〜１８６が制御される流れについて、図１１を用いてさらに詳細に説明する。
【００４８】
図１１は、第１実施形態における医療用チューブシール装置セット１を説明するために示す図である。図１１（ａ）はチューブ挿入前における各チューブシール部２０Ａ〜２０Ｈの位置を模式的に示す図であり、図１１（ｂ）はチューブ挿入後における各チューブシール部２０Ａ〜２０Ｈの位置を模式的に示す図である。
なお、図１１（ａ）及び図１１（ｂ）においては、本来は装置正面からは見えない電極及び検知部を、発明の理解を容易にするために実線で図示している。
【００４９】
チューブが挿入される前の医療用チューブシール装置セット１においては、図１１（ａ）に示すように、８台のチューブシール装置１０Ａ〜１０Ｈの各チューブシール部２０Ａ〜２０Ｈ（電極２１Ａ〜２１Ｈ）は、水平な仮想直線ＶＬに沿って配置されている。チューブシール部２０Ａ〜２０Ｈに対してチューブを挿入し、各チューブシール部２０Ａ〜２０Ｈに配設されたいずれかの検知部で当該チューブの挿入が検知されると、まず、チューブシール装置の検知部から自身の制御部に対して、当該検知情報が送られることとなる。検知情報を受けた制御部は、当該情報を主制御部１９０に出力する。
【００５０】
主制御部１９０は、チューブシール装置の制御部から当該情報を受けたことにともない、図１１（ｂ）に示すように、チューブシール装置１０Ａ〜１０Ｈのうち中央寄りに配置されたチューブシール装置のチューブシール部が、他のチューブシール装置のチューブシール部に比べて、電極の位置が高くなるように、各昇降機構１８１〜１８６の制御を実行する。
【００５１】
図１１（ｂ）に示す状態の各電極２１Ａ〜２１Ｈの位置関係を具体的に説明すると、セット左端部に位置する電極２１Ａと、セット右端部に位置する電極２１Ｈが、全体の電極２１Ａ〜２１Ｈの中で最も低い高さに位置している。その次に高い位置にあるのが、チューブシール部２０Ｂ，２０Ｇの電極２１Ｂ，２１Ｇである。その次に高い位置にあるのが、チューブシール部２０Ｃ，２０Ｆの電極２１Ｃ，２１Ｆである。そして、全体の電極２１Ａ〜２１Ｈの中で最も高い位置にあるのが、チューブシール部２０Ｄ，２０Ｅの電極２１Ｄ，２１Ｅである。これら電極２１Ａ〜２１Ｈの位置を結ぶと、上方向に向かって凸となるように曲がった仮想曲線ＶＣが描かれる。電極２１Ａ〜２１Ｈと対向して電極２２Ａ〜２２Ｈが位置することからいえば、図示による説明は省略するが、電極２２Ａ〜２２Ｈの位置についても同様に、上方向に向かって凸となるように曲がった仮想曲線ＶＣが描かれる。
【００５２】
また、図示による説明は省略するが、チューブシール装置１０Ａ〜１０Ｈのそれぞれにおいて、カバー部材に設けられたスリット部の形状が同じであることからすれば、スリット部の最下部の位置関係についても、上で述べた一対の電極と同様、チューブシール装置１０Ａ〜１０Ｈにおける各スリット部の最下部（各カバー部材にある２つの最下部のうち左右いずれか一方）の位置を結ぶと、上方向に向かって凸となる仮想曲線ＶＣが描かれることとなる。
【００５３】
次に、比較例に係る医療用チューブシール装置セット８の構成と対比して、第１実施形態に係る医療用チューブシール装置セット１の載置台１００（載置面１１１〜１１８の高さ）をさらに詳しく説明する。
【００５４】
図１２は、比較例に係る医療用チューブシール装置セット８を説明するために示す図であって、チューブシール部２０Ａ〜２０ＨにチューブＴを挿入した一例を示す図である。
図１３は、第１実施形態に係る医療用チューブシール装置セット１を説明するために示す図であって、チューブシール部２０Ａ〜２０ＨにチューブＴを挿入した一例を示す図である。
なお、図１２及び図１３においては、本来は正面からは見えない電極及び検知部並びに挿入されたチューブを、発明の理解を容易にするために実線で示している。
【００５５】
比較例に係る医療用チューブシール装置セット８は、基本的には第１実施形態に係る医療用チューブシール装置セット１と同様の構成を有するが、図１２に示すように、載置台８００が、分割されていない（すなわち１つの平面からなる）載置面８１１を有するとともに、昇降機構を備えていない点で、第１実施形態に係る医療用チューブシール装置セット１とは異なる。
【００５６】
比較例に係る医療用チューブシール装置セット８のチューブシール部２０Ａ〜２０Ｈに対し、折れ癖等の付いたチューブＴを挿入すると、チューブの浮きが発生してしまう場合がある（例えば図１２に示すチューブシール部２０Ｄの位置を参照。）。その結果、チューブＴの挿入が検知されずシール動作が行われなかったり、望ましい位置でシール溶着できなかったりするケースが起こり得る。
【００５７】
なお、図１２に示すようにセット中央付近に折れ癖等が位置する場合、手元（セット左右方向両端部）から折れ癖等の位置までの距離が離れているため、手元でチューブＴにテンションを加えたとしてもその力が折れ癖等の位置までは伝わりにくく、チューブの浮きが直りにくい。
【００５８】
これに対し、第１実施形態に係る医療用チューブシール装置セット１によれば、中央寄りに配置されたチューブシール装置におけるチューブシール部の位置が、他のチューブシール装置におけるチューブシール部よりも高くなるように、載置台１００の主制御部１９０が各昇降機構１８１〜１８６を制御するように構成されているため、各チューブシール部２０Ａ〜２０Ｈ（各カバー部材のスリット部）にチューブＴを挿入したときに、中央寄りに位置するチューブシール部（例えばチューブシール部２０Ｄ，２０Ｅ）において、チューブＴがスリット部（スリット部の最下部）と接触し、チューブＴに対して押付力が働くこととなる。これにより、折れ癖等の付いたチューブＴを挿入した際、仮に医療用チューブシール装置セット１の中央付近に折れ癖等が位置することとなったとしても、チューブＴに働く押付力によってチューブＴの浮きを改善することができる（図１３参照。）。その結果、チューブの挿入が検知されずシール動作が行われなかったり、望ましい位置でシール溶着できなかったりするような、望ましくないケースの発生を抑制することができる。
【００５９】
したがって、第１実施形態に係る医療用チューブシール装置セット１は、折れ癖等の付いたチューブであっても、円滑にシール溶着することができ、シール不良の発生も抑制することが可能なものとなる。
【００６０】
第１実施形態に係る医療用チューブシール装置セット１においては、チューブシール装置に配設された検知部が医療用チューブの挿入を検知すると、載置台１００の主制御部１９０における所定の制御条件（載置面１１２〜１１７の昇降動作を開始する条件）が満たされるように構成されている。これにより、使用者がチューブシール装置１０Ａ〜１０Ｈのスリット部にチューブを挿入したことをきっかけとして、主制御部１９０による昇降機構１８１〜１８６の制御が実行されることとなる。
【００６１】
第１実施形態に係る医療用チューブシール装置セット１においては、チューブシール部２０Ａ〜２０Ｈの各電極の位置を結ぶと、上方向に向かって凸となる仮想曲線ＶＣが描かれる。これにより、いずれのチューブシール部２０Ａ〜２０Ｈにおいてもチューブがスリット部（スリット部の最下部）と接触し、チューブ全体にわたって押付力が働くようになる。その結果、チューブの浮きをより一層改善することができるようになり、チューブの挿入が検知されずシール動作が行われなかったり、望ましい位置でシール溶着できなかったりするような、望ましくないケースの発生をさらに抑制することが可能となる。
【００６２】
第１実施形態に係る医療用チューブシール装置セット１においては、８台のチューブシール装置１０Ａ〜１０Ｈのそれぞれは、隣同士の配置が均等である。これにより、チューブの長手方向に沿って比較的均等な間隔でチューブをシール溶着することができ、長さの揃ったセグメントチューブ（交差適合試験などに用いられるサンプル体）を作成することが可能となる。
【００６３】
第１実施形態に係る載置台１００は、主制御部１９０が各昇降機構１８１〜１８６を上述したように制御するため、この載置台１００を用いることによって、折れ癖等の付いたチューブであっても、円滑にシール溶着することができ、シール不良の発生も抑制することが可能となる。
【００６４】
［第２実施形態］
図１４は、第２実施形態に係る載置台２００の正面図である。図１４（ａ）は載置面２１１，２１２が上昇する前における載置台２００の正面図であり、図１４（ｂ）は載置面２１１，２１２が上昇した後における載置台２００の正面図である。
図１５は、第２実施形態における医療用チューブシール装置セット２を説明するために示す図である。図１５（ａ）はチューブ挿入後における各チューブシール部２０Ａ〜２０Ｈの位置を模式的に示す図であり、図１５（ｂ）はチューブシール部２０Ａ〜２０ＨにチューブＴを挿入した一例を示す図である。
なお、図１５（ａ）及び図１５（ｂ）において、本来は正面からは見えない電極及び検知部又は挿入されたチューブを、発明の理解を容易にするために実線で示している。また、第１実施形態で説明した部材と同一の部材については、同一の符号を付し、詳細な説明は省略する。
【００６５】
第２実施形態に係る医療用チューブシール装置セット２は、基本的には第１実施形態に係る医療用チューブシール装置セット１と同様の構成を有するが、載置台の構成が、第１実施形態に係る医療用チューブシール装置セット１とは異なる。
【００６６】
第２実施形態に係る医療用チューブシール装置セット２においては、図１４に示すように、載置台２００は、２枚の板状に分割された載置面２１１，２１２と、載置面２１１，２１２の後方に立設された装置接続部２２１，２２２と、載置台２００の左右両端部に設けられた取っ手１２０，１２９と、８台のチューブシール装置１０Ａ〜１０Ｈ全体の電源のＯＮ／ＯＦＦを切り替えるための主電源スイッチ１７２と、載置面２１１，２１２を昇降させる昇降機構２８１，２８２と、昇降機構２８１，２８２による載置面２１１，２１２の昇降動作を制御する主制御部２９０（図示せず。）とを有する。
【００６７】
昇降機構２８１，２８２は、各載置面２１１，２１２の下面であって、載置台２００の中央部近傍に設けられている。図１４から明らかなように、昇降機構２８１，２８２によって各載置面２１１，２１２を上昇させると、各載置面２１１，２１２は、取っ手１２０，１２９側の端縁位置を軸として傾いた状態となる。すなわち、チューブ挿入後の載置面２１１，２１２は、載置台２００の中央部において稜線Ｒを有する山状となるように形成されている。また、チューブ挿入後における載置面２１１，２１２の高さは、図１５（ａ）に示すように、チューブシール装置１０Ａ〜１０Ｈにおける各一対の電極の位置を結ぶと、載置台２００の左右方向中央位置（チューブシール部２０Ｄ，２０Ｅの間の位置）で交差する２本の仮想直線ＶＬ１，ＶＬ２が描かれるように設定されている。
【００６８】
なお、装置接続部２２１，２２２については、第１実施形態で説明した装置接続部１２１〜１２８と同様の構成であるため、詳細な説明は省略する。
【００６９】
このように、第２実施形態に係る医療用チューブシール装置セット２は、第１実施形態に係る医療用チューブシール装置セット１とは、載置台の構成が異なるが、中央寄りに配置されたチューブシール装置におけるチューブシール部の位置が、他のチューブシール装置におけるチューブシール部よりも高くなるように、載置台２００の主制御部２９０が各昇降機構２８１，２８２を制御するように構成されているため、第１実施形態に係る医療用チューブシール装置セット１の場合と同様に、各チューブシール部２０Ａ〜２０Ｈ（各カバー部材のスリット部）にチューブＴを挿入したときに、中央寄りに位置するチューブシール部（例えばチューブシール部２０Ｄ，２０Ｅ）において、チューブＴがスリット部（スリット部の最下部）と接触し、チューブＴに対して押付力が働くこととなる。これにより、折れ癖等の付いたチューブＴを挿入した際、仮に医療用チューブシール装置セット２の中央付近に折れ癖等が位置することとなったとしても、チューブＴに働く押付力によってチューブＴの浮きを改善することができる（図１５（ｂ）参照。）。その結果、チューブの挿入が検知されずシール動作が行われなかったり、望ましい位置でシール溶着できなかったりするような、望ましくないケースの発生を抑制することができる。
【００７０】
第２実施形態に係る医療用チューブシール装置セット２は、載置台の構成が異なる点以外では、第１実施形態に係る医療用チューブシール装置セット１と同様の構成を有するため、第１実施形態に係る医療用チューブシール装置セット１が有する効果のうち該当する効果をそのまま有する。
【００７１】
［第３実施形態］
図１６は、第３実施形態に係る医療用チューブシール装置セット３の電気的構成を示すブロック図である。なお、第１実施形態で説明した部材と同一の部材については、同一の符号を付し、詳細な説明は省略する。
【００７２】
第３実施形態に係る医療用チューブシール装置セット３は、基本的には第１実施形態に係る医療用チューブシール装置セット１と同様の構成を有するが、モード切替スイッチを備える点及び制御部の機能が、第１実施形態に係る医療用チューブシール装置セット１とは異なる。
【００７３】
第３実施形態に係る医療用チューブシール装置セット３においては、図１６に示すように、載置台３００には、「通常モード」と「山なりモード」のいずれか一方のモードに切り替えるためのモード切替スイッチ３７４が設けられている。「通常モード」とは、図１１（ａ）に示したように、８台のチューブシール装置１０Ａ〜１０Ｈにおける各チューブシール部２０Ａ〜２０Ｈ（電極２１Ａ〜２１Ｈ）について、その水平位置が揃った状態となるモードのことをいう。「山なりモード」とは、図１１（ｂ）に示したように、チューブシール装置１０Ａ〜１０Ｈのうち中央寄りに配置されたチューブシール装置のチューブシール部が、他のチューブシール装置のチューブシール部に比べて、電極の位置が高く配置された状態となるモードのことをいう。
【００７４】
載置台３００の主制御部３９０は、各昇降機構１８１〜１８６の制御を実行する機能として、第１実施形態で説明した「チューブの挿入の検知」を条件とするのではなく、「モード切替え」を条件としている。
【００７５】
例えば、使用者がモード切替スイッチ３７４を操作して「山なりモード」を選択すると、主制御部３９０は、モードが切り替えられたことにともない、チューブシール装置１０Ａ〜１０Ｈのうち中央寄りに配置されたチューブシール装置のチューブシール部が、他のチューブシール装置のチューブシール部に比べて、電極の位置が高くなるように、各昇降機構１８１〜１８６の制御を実行する。
【００７６】
このように、第３実施形態に係る医療用チューブシール装置セット３は、第１実施形態に係る医療用チューブシール装置セット１とは、モード切替スイッチを備える点及び制御部の機能が異なるが、第１実施形態に係る医療用チューブシール装置セット１と同様に、中央寄りに配置されたチューブシール装置におけるチューブシール部の位置が、他のチューブシール装置におけるチューブシール部よりも高くなるように、載置台３００の主制御部３９０が各昇降機構１８１〜１８６を制御するように構成されているため、結果として、チューブの挿入が検知されずシール動作が行われなかったり、望ましい位置でシール溶着できなかったりするような、望ましくないケースの発生を抑制することができる。
【００７７】
第３実施形態に係る医療用チューブシール装置セット３においては、モード切替スイッチ３７４を「山なりモード」に切り替えると、載置台３００の主制御部３９０における所定の制御条件（載置面の昇降動作を開始する条件）が満たされるように構成されている。これにより、使用者がモード切替スイッチ３７４を操作したことをきっかけとして、主制御部３９０による昇降機構１８１〜１８６の制御が実行されることとなる。
【００７８】
第３実施形態に係る医療用チューブシール装置セット３は、モード切替スイッチを備える点及び制御部の機能が異なる点以外では、第１実施形態に係る医療用チューブシール装置セット１と同様の構成を有するため、第１実施形態に係る医療用チューブシール装置セット１が有する効果のうち該当する効果をそのまま有する。
【００７９】
［第４実施形態］
図１７は、第４実施形態に係る医療用チューブシール装置セット４の電気的構成を示すブロック図である。なお、第１実施形態で説明した部材と同一の部材については、同一の符号を付し、詳細な説明は省略する。
【００８０】
第４実施形態に係る医療用チューブシール装置セット４は、基本的には第１実施形態に係る医療用チューブシール装置セット１と同様の構成を有するが、制御部の機能が、第１実施形態に係る医療用チューブシール装置セット１とは異なる。
【００８１】
載置台４００の主制御部４９０は、各昇降機構１８１〜１８６の制御を実行する機能として、第１実施形態で説明した「チューブの挿入の検知」を条件とするのではなく、「主電源スイッチのＯＮ／ＯＦＦ切替え」を条件としている。
【００８２】
例えば、使用者が主電源スイッチ１７２をＯＦＦからＯＮに切り替えると、主制御部４９０は、電源がＯＮに切り替えられたことにともない、チューブシール装置１０Ａ〜１０Ｈのうち中央寄りに配置されたチューブシール装置のチューブシール部が、他のチューブシール装置のチューブシール部に比べて、電極の位置が高くなるように、各昇降機構１８１〜１８６の制御を実行する。
【００８３】
このように、第４実施形態に係る医療用チューブシール装置セット４は、第１実施形態に係る医療用チューブシール装置セット１とは、制御部の機能が異なるが、第１実施形態に係る医療用チューブシール装置セット１と同様に、中央寄りに配置されたチューブシール装置におけるチューブシール部の位置が、他のチューブシール装置におけるチューブシール部よりも高くなるように、載置台４００の主制御部４９０が各昇降機構１８１〜１８６を制御するように構成されているため、結果として、チューブの挿入が検知されずシール動作が行われなかったり、望ましい位置でシール溶着できなかったりするような、望ましくないケースの発生を抑制することができる。
【００８４】
第４実施形態に係る医療用チューブシール装置セット４においては、主電源スイッチ１７２をＯＦＦからＯＮに切り替えると、載置台４００の主制御部４９０における所定の制御条件（載置面の昇降動作を開始する条件）が満たされるように構成されている。これにより、使用者が主電源スイッチ１７２を操作したことをきっかけとして、主制御部４９０による昇降機構１８１〜１８６の制御が実行されることとなる。
【００８５】
第４実施形態に係る医療用チューブシール装置セット４は、制御部の機能が異なる点以外では、第１実施形態に係る医療用チューブシール装置セット１と同様の構成を有するため、第１実施形態に係る医療用チューブシール装置セット１が有する効果のうち該当する効果をそのまま有する。
【００８６】
以上、本発明の医療用チューブシール装置セット及び載置台を上記の実施形態に基づいて説明したが、本発明は上記の実施形態に限定されるものではなく、その要旨を逸脱しない範囲において種々の態様において実施することが可能であり、例えば次のような変形も可能である。
【００８７】
（１）上記実施形態においては、上方向からチューブを挿入するタイプのチューブシール装置を例示して、セット中央寄りに配置されたチューブシール装置のチューブシール部（一対の電極）が高くなるように、各昇降機構の制御が実行される場合を説明したが、本発明はこれに限定されるものではない。例えば、下方向からチューブを挿入するタイプのチューブシール装置であれば、セット中央寄りに配置されたチューブシール装置のチューブシール部（一対の電極）が、他のチューブシール装置のチューブシール部（一対の電極）の位置よりも低くなるように、各昇降機構の制御が実行されることが好ましい。
【００８８】
（２）上記実施形態においては、８台のチューブシール装置１０Ａ〜１０Ｈのうち中央寄りに配置された２台のチューブシール装置１０Ｄ，１０Ｅについて、一対の電極の高さ（カバー部材に設けられたスリット部の最下部の高さ）が同じとなるように、各昇降機構の制御が実行される場合を例示して説明したが、本発明はこれに限定されるものではない。例えば、２台のチューブシール装置１０Ｄ，１０Ｅのうちいずれか一方における一対の電極の高さ（スリット部の最下部の高さ）が最も高くなるように、各昇降機構の制御が実行されてもよいし、８台のチューブシール装置１０Ａ〜１０Ｈのうち中央寄りに配置された３台又は４台のチューブシール装置について、一対の電極の高さ（スリット部の最下部の高さ）が同じとなるように、各昇降機構の制御が実行されてもよい。また、８台のチューブシール部における各一対の電極の位置関係（各スリット部の最下部の位置関係）について、上記実施形態では、セット中央位置（チューブシール装置１０Ｄ，１０Ｅの間）を通るｚ軸に対して線対称である場合を例示して説明したが、線対称となっていなくてもよい。
【００８９】
（３）上記第１実施形態においては、チューブの挿入前後において、載置面１１２〜１１７の高さを変動させ、載置面１１１，１１８の高さを変動させないように構成されている場合を例示して説明したが、本発明はこれに限定されるものではない。例えば、初めから載置面がある程度の高さに設定されているのであれば、左右方向両端部に位置する載置面の位置を下方に変動させるように構成してもよい。
【００９０】
（４）上記実施形態においては、一対の電極のうち電極移動機構側に位置する電極が動くように構成されている場合を例示して説明したが、本発明はこれに限定されるものではなく、電極移動機構とは反対側に位置する電極が動くように構成されていてもよいし、両方の電極が動くように構成されていてもよい。
【００９１】
（５）上記実施形態においては、チューブシール部が、高周波でチューブを閉塞する機能を有する高周波チューブシーラーである場合を例示して説明したが、本発明はこれに限定されるものではなく、例えば、超音波チューブシーラーや、インパルス加熱式チューブシーラーなどであってもよい。なお、上記実施形態においては、チューブシール部が高周波チューブシーラーであることから、一対の電極を備える場合を例示して説明したが、例えばチューブシール部が超音波チューブシーラーであれば、一対の電極に代えて超音波ホーンとアンビルを備えることとなり、インパルス加熱式チューブシーラーであれば、一対の電極に代えて一対のヒーター部を備えることとなる。
【００９２】
（６）上記実施形態においては、検知部が透過型のフォトインタラプタである場合を例示して説明したが、本発明はこれに限定されるものではなく、反射型のフォトリフレクタであってもよい。
【００９３】
（７）上記実施形態においては、８台のチューブシール装置すべてに検知部が２つずつ配設されている場合を例示して説明したが、本発明はこれに限定されるものではない。例えば、８台のチューブシール装置すべてにおいて、２つ以上の検知部が配設されていてもよいし、装置正面から見て電極の右側又は左側にのみ１つの検知部が配設されていてもよい。または、８台のチューブシール装置のうち、正面から見て右から偶数番目又は奇数番目に位置するチューブシール装置にのみ１つ又は２つ以上の検知部が配設されていてもよい。
【００９４】
（８）上記実施形態においては、電極移動機構が電動シリンダからなる場合を例示して説明したが、本発明はこれに限定されるものではなく、例えば、ソレノイドの駆動とバネ部材の付勢力を利用して電極を移動させる機構など、他の公知の手段を用いてもよいことは言うまでもない。
【００９５】
（９）上記実施形態においては、昇降機構がピン式のエアシリンダからなる場合を例示して説明したが、本発明はこれに限定されるものではなく、例えば、他の構造からなるエアシリンダであってもよいし、電動シリンダやラック・アンド・ピニオン機構、ソレノイド等の他のアクチュエータを用いてもよい。また、空気圧式又は電動式のジャッキ機構を採用してもよい。
【００９６】
（１０）上記第１実施形態においては、昇降機構が、各載置面の下面に４つずつ配設されている場合を例示して説明したが、本発明はこれに限定されるものではなく、載置面を昇降させることが可能であれば、その数を増減させてもよい。
【００９７】
（１１）上記実施形態においては、チューブシール装置の数が８台である場合を例示して説明したが、本発明はこれに限定されるものではない。３台以上のチューブシール装置を備える医療用チューブシール装置セットであっても、本発明を適用可能である。
【符号の説明】
【００９８】
１，２，３，４，８  医療用チューブシール装置セット
１０Ａ〜１０Ｈ  チューブシール装置
１２Ａ  筺体
２０Ａ〜２０Ｈ  チューブシール部
２１Ａ〜２１Ｈ，２２Ａ  電極
２３Ａ，２４Ａ  電極支持部
２５Ａ  カバー部材
２６Ａ  スリット部
２７Ａ  （スリット部の）最下部
３０Ａ，３５Ａ  検知部
３１Ａ，３６Ａ  発光素子
３２Ａ，３７Ａ  受光素子
４０Ａ  電極移動機構
７０Ａ  電源部
７２Ａ  点灯部
９０Ａ  制御部
９２Ａ  電極移動制御部
９４Ａ  チューブシール動作制御部
１００，２００，３００，４００，８００  載置台
１１１〜１１８，２１１，２１２，８１１  載置面
１２０，１２９  取っ手
１２１〜１２８，２２１，２２２  装置接続部
１３１〜１３８  電源用コネクタ
１４１〜１４８  通信用コネクタ
１５１ａ，１５１ｂ〜１５８ａ，１５８  位置決めピン
１６１〜１６８  装置固定用ネジ
１７２  主電源スイッチ
１８１〜１８６，２８１，２８２  昇降機構
１９０，３９０，４９０  主制御部
３７４  モード切替スイッチ
Ｒ  稜線
Ｔ  チューブ
ＶＣ  仮想曲線
ＶＬ，ＶＬ１，ＶＬ２  仮想直線
【図１】
0006442214.tif 000002
【図２】
0006442214.tif 000003
【図３】
0006442214.tif 000004
【図４】
0006442214.tif 000005
【図５】
0006442214.tif 000006
【図６】
0006442214.tif 000007
【図７】
0006442214.tif 000008
【図８】
0006442214.tif 000009
【図９】
0006442214.tif 000010
【図１０】
0006442214.tif 000011
【図１１】
0006442214.tif 000012
【図１２】
0006442214.tif 000013
【図１３】
0006442214.tif 000014
【図１４】
0006442214.tif 000015
【図１５】
0006442214.tif 000016
【図１６】
0006442214.tif 000017
【図１７】
0006442214.tif 000018